(57)【要約】【課題】  被発呼携帯電話機と転送先ＩＰ電話機とを無線通信を用いて接続を可能とする着信転送方法を提供する。【解決手段】  音声通話をＩＰネットワーク上（３０４)で行う通信システムにおいて、発呼側ＩＰ電話機（１−１）から受呼側携帯電話機（６）への着信時又は通話時に、受呼者が転送を所望する受呼側ＩＰ電話機（５−１）を操作することにより受呼側ＩＰ電話機と受呼側携帯電話機との間で無線交信を行う第一のステップと、その第一のステップの後に転送を所望する受呼側ＩＰ電話機に内蔵された機能が自動で発呼側ＩＰ電話機と通信を行う第二のステップとを備え、受呼側携帯電話機への着信又は通話を転送を所望する受呼側ＩＰ電話機へ無線で転送する。【選択図】      図６
2005197777.tif 000002
【特許請求の範囲】
【請求項１】
音声通話をインターネット・プロトコル・ネットワーク上で行う通信システムにおいて、発呼側ＩＰ電話機から受呼側携帯電話機への着信時に、受呼者が転送を所望する受呼側ＩＰ電話機を操作することにより該受呼側ＩＰ電話機と前記受呼側携帯電話機との間で無線交信を行う第一のステップと、該第一のステップの後に前記転送を所望する受呼側ＩＰ電話機に内蔵された機能が自動で前記発呼側ＩＰ電話機と通信を行う第二のステップとを備え、前記受呼側携帯電話機への着信を前記転送を所望する受呼側ＩＰ電話機へ無線で転送することを特徴とする携帯電話機からＩＰ電話機への着信転送方法。
【請求項２】
音声通話をインターネット・プロトコル・ネットワーク上で行う通信システムにおいて、ＩＰ電話機と携帯電話機との間で通話中に、通話の転送を所望するＩＰ電話機を操作することにより前記転送を所望するＩＰ電話機と前記携帯電話機との間で無線交信を行う第一のステップと、
該第一のステップの後に前記転送を所望するＩＰ電話機に内蔵された機能が自動で前記通話中のＩＰ電話機と通信を行う第二のステップと、
前記携帯電話機と通話中の前記ＩＰ電話機に内蔵された機能により前記携帯電話機との通話を切断する第三のステップと、
前記携帯電話機と通話していた前記ＩＰ電話機から前記転送を所望するＩＰ電話機へ発呼することにより、通話を前記携帯電話機から前記転送を所望するＩＰ電話機へ切り替える第四のステップと、
を備えることを特徴とする携帯電話機からＩＰ電話機への通話切替え転送方法。
【請求項３】
前記通信システムは、ＩＰ電話機の識別番号を登録した記憶装置を備えており、前記第二のステップにおいて前記転送を所望するＩＰ電話機に内蔵された機能が自動で前記記憶装置及び前記通話中のＩＰ電話機と通信を行うことを特徴とする、請求項１又は２に記載の通話切替え転送方法。
【請求項４】
前記通信システムは、ＩＰ電話機の識別番号を登録した交換装置を備えており、前記前記第二のステップにおいて前記転送を所望するＩＰ電話機に内蔵された機能が自動で前記交換装置及び前記通話中のＩＰ電話機と通信を行うことを特徴とする、請求項１又は２に記載の着信転送方法。
【請求項５】
前記第四のステップにおいて、通話を前記携帯電話機から前記転送を所望するＩＰ電話機へ切り替える際に、転送先ＩＰ電話機の呼び出し音により受呼者が通話の切替えを認識できるようにすることを特徴とする、請求項２に記載の通話切替え転送方法。
【発明の詳細な説明】
【技術分野】
【０００１】
本発明は、音声通話をVoIP(Voice over Internet Protocol)により構築した通信網において、ＩＰ電話機から携帯電話機への公衆網を利用した着信を他のＩＰ電話機へ転送する携帯電話機からＩＰ電話機への着信転送方法に関する。なお、VoIPとは電話音声をIPパケット(データの構成単位)に変換する技術として知られている。
【背景技術】
【０００２】
近年、xDSLやケーブルインターネット、光ファイバ、無線等によるアクセス回線のブロードバンド化、ネットワーク関連機器などの高機能化が進むと共に、その普及も加速している。また、IP(Internet Protocol)ネットワーク上で様々なアプリケーションやサービスが提供されるようになってきた。
【０００３】
特に、音声をＩＰで伝送するVoIP技術を利用して、音声電話をＩＰネットワーク上で提供するＩＰ電話(インターネット電話）のサービスが実用化されている。ＩＰ電話は、既存の電話と比較して安い通話料で実現が可能であるので、今後のネットワーク技術の発展に伴って、ますます普及が進むものと考えられる。
【０００４】
今後のＩＰ電話サービスの普及に伴い、ＩＰ電話サービスと携帯電話サービスの両方を利用する人が増えると予想される。例えば、企業においては、全事業所を網羅した企業内のＩＰ電話システムが構築される一方で、社員は個人連絡用の携帯電話機を持って、各事業所を移動して作業をするといったケースが多くなる。
【０００５】
ところが、ＩＰ電話機と携帯電話機間の通話料は、携帯電話機同士の通話料よりも高いという問題がある。この問題を解決しようとした従来技術として、本出願人により平成１４年８月３０日付けで国際出願されたＰＣＴ／ＪＰ０２／０８８５０に開示されたシステムがある。
【０００６】
図１は、その従来のシステムの構成を示す概略ブロック図である。
【０００７】
図１において、１０は発呼側ＩＰ電話機、２０は受呼側の携帯電話機、３０は携帯電話機２０に接続される被発呼側ＩＰ電話機、４０は音声制御サーバ、４５はＩＰネットワークである。
【０００８】
音声サーバ４０はコールエージェントとも呼ばれ、例えば企業内の交換機のソフトウェア版としての機能を有する。音声サーバ４０は電話接続情報格納管理部４１と通信制御部４２とを備えている。
【０００９】
ＩＰ電話機３０は、接続された携帯電話機の電話番号を読み取る接続制御部３１と、携帯電話番号を含む電話接続情報を音声サーバに４０に通知するための電話接続情報通知部３２とを備えている。なお、ＩＰ電話機とは、ＩＰネットワークに接続してソフトウェアにより動作する電話機として知られている。
【００１０】
発呼側ＩＰ電話機１０が携帯電話機２０に対して発呼すると、音声制御サーバ４０はその中の電話接続情報格納管理部４１と通信制御部４２により交換機能を実行して図示しない公衆網を介して携帯電話機に着信させる。携帯電話機２０の保持者は、発呼側ＩＰ電話機１０の通話料の節約のために自分の近くのＩＰ電話機３０に物理的にワイヤ接続をする。するとＩＰ電話機３０はその電話番号を含む電話接続情報を音声サーバ４０に通知する。これにより音声サーバ４０は発呼側ＩＰ電話機１０と被発呼側ＩＰ電話機３０とをＩＰネットワーク４５を介して接続し、ＩＰ電話機間の通話が可能になる。
【００１１】
【特許文献１】特開平９−０４４３９６号公報
【特許文献２】特開平１０−１３５９６８号公報
【特許文献３】特開平１１−３１７０７２号公報
【特許文献４】特開２００２−１９９０２９号公報
【特許文献５】ＰＣＴ／ＪＰ０２／０８８５０号明細書
【発明の開示】
【発明が解決しようとする課題】
【００１２】
上記従来の技術では、発呼側ＩＰ電話機１０から被発呼携帯電話機２０へ発呼中もしくは通話中に転送先ＩＰ電話機３０へ転送する場合は、物理的に被発呼携帯電話機２０と転送先ＩＰ電話機３０がワイヤ接続されている必要があった。
【００１３】
しかし、被発呼携帯電話機２０の保持者が常に転送先ＩＰ電話機３０の近くにいるとは限らない。被発呼携帯電話機２０の保持者が転送先ＩＰ電話機３０から離れた場所にいる時に被発呼携帯電話機２０に着信があると、転送先ＩＰ電話機３０との物理的なワイヤ接続が不可能なので、発呼側ＩＰ電話機１０と被発呼携帯電話機２０との間で通話をせざるを得ず、発呼側ＩＰ電話機１０にとって高い通話料となるという問題がある。
【００１４】
本発明の目的は上記従来技術における問題に鑑み、被発呼携帯電話機と転送先ＩＰ電話機とを無線通信を用いたアプリケーションレベルで接続可能とすることにある。
【課題を解決するための手段】
【００１５】
上記目的を達成するために、本発明の第１の態様により提供される方法は、音声通話をインターネット・プロトコル・ネットワーク上で行う通信システムにおいて、発呼側ＩＰ電話機から受呼側携帯電話機への着信時に、受呼者が転送を所望する受呼側ＩＰ電話機を操作することにより受呼側ＩＰ電話機と受呼側携帯電話機との間で無線交信を行う第一のステップと、その第一のステップの後に転送を所望する受呼側ＩＰ電話機に内蔵された機能が自動で発呼側ＩＰ電話機と通信を行う第二のステップとを備え、受呼側携帯電話機への着信を転送を所望する受呼側ＩＰ電話機へ無線で転送することを特徴とする携帯電話機からＩＰ電話機への着信転送方法である。
【００１６】
本発明の第２の態様により提供される方法は、音声通話をインターネット・プロトコル・ネットワーク上で行う通信システムにおいて、ＩＰ電話機と携帯電話機との間で通話中に、通話の転送を所望するＩＰ電話機を操作することにより転送を所望するＩＰ電話機と携帯電話機との間で無線交信を行う第一のステップと、その第一のステップの後に転送を所望するＩＰ電話機に内蔵された機能が自動で通話中のＩＰ電話機と通信を行う第二のステップと、携帯電話機と通話中のＩＰ電話機に内蔵された機能により携帯電話機との通話を切断する第三のステップと、携帯電話機と通話していたＩＰ電話機から転送を所望するＩＰ電話機へ発呼することにより、通話を携帯電話機から転送を所望するＩＰ電話機へ切り替える第四のステップとを備えることを特徴とする携帯電話機からＩＰ電話機への通話切替え転送方法である。
【００１７】
上記第１又は第２の態様において、通信システムは、ＩＰ電話機の識別番号を登録した記憶装置を備えており、第二のステップにおいて転送を所望するＩＰ電話機に内蔵された機能が自動で記憶装置及び通話中のＩＰ電話機と通信を行ようにしてもよい。
【００１８】
上記第１又は第２の態様において、通信システムは、ＩＰ電話機の識別番号を登録した交換装置を備えており、第二のステップにおいて転送を所望するＩＰ電話機に内蔵された機能が自動で交換装置及び通話中のＩＰ電話機と通信を行ようにしてもよい。
【００１９】
上記第２の態様における第四のステップにおいて、通話を携帯電話機から転送を所望するＩＰ電話機へ切り替える際に、転送先ＩＰ電話機の呼び出し音により受呼者が通話の切替えを認識できるようにしてもよい。
【発明の効果】
【００２０】
本発明は、携帯電話機への着信前あるいは着信時にＩＰ電話機と携帯電話機を物理的にワイヤ接続する必要がないので、ＩＰ電話機と携帯電話機の物理的接続作業が不要になるという利点がある。また、転送先ＩＰ電話機の限定をする必要がないという利点がある。具体的には、ＩＰ電話機から携帯電話機への着信中およびＩＰ電話機と携帯電話機との通話中に携帯電話機の保持者の最寄のＩＰ電話機を操作することで、そのＩＰ電話機へ無線により着信又は通話を転送する電話機転送方法が提供される。
【発明を実施するための最良の形態】
【００２１】
被発呼携帯電話機と転送先ＩＰ電話機とを無線通信を用いたアプリケーションレベルでの接続を可能とするという目的を、受呼側携帯電話機への着信を転送を所望する受呼側ＩＰ電話機へ無線で転送するか、ＩＰ電話機と携帯電話機との間で通話中に、通話の転送を所望するＩＰ電話機を操作することにより転送を所望するＩＰ電話機と携帯電話機との間で無線交信を行うことにより、ＩＰ電話機間での通話を実現した。
【実施例１】
【００２２】
以下に、本発明の実施例を図面を参照しながら説明する。
【００２３】
図２は本発明の一実施例による携帯電話機からＩＰ電話機への着信転送方法を実現する通信システムの概略構成を示すブロック図である。同図において、図１と同一物には同一の参照番号を付してあり、１０は発呼側ＩＰ電話機、４５はＩＰネットワーク、５０は被発呼側ＩＰ電話機、６０は携帯電話機である。被発呼側ＩＰ電話機５０は被発呼側携帯電話機６０と無線通信をする無線接続制御部５１と携帯電話番号を読み取る番号読取管理部５２とを備えている。携帯電話機６０も転送先ＩＰ電話機５０と無線通信する無線接続制御部６１と携帯電話番号を通知する番号読取管理部６２とを備えている。
【００２４】
図２に示したシステムによれば、転送先ＩＰ電話機５０と被発呼側携帯電話機６０との無線接続インターフェース制御をアプリケーションにて行う。
【００２５】
図３は、図２に示したシステムを本社と支店に適用した実施例のシステムの全体構成を示す構成図である。図には本発明の説明に必要な部分のみを示してある。
【００２６】
図３において、この実施例に関わる電話システムは、本社３０１と支店３０２の間を公衆網３０３及びＩＰネットワーク３０４を介して接続するものである。本社３０１には、ＩＰ電話機１−１、１−２、…と、ＩＰ電話機の識別番号を登録した記憶装置であるアドレス管理サーバ２と、構内交換機であるＩＰ−ＰＢＸ３−１とＩＰネットワーク３０４に接続するルータ４−１とが設けられている。支店３０２には、構内交換機であるＩＰ−ＰＢＸ３−２と、ＩＰネットワーク３０４に接続するルータ４−２と、ＩＰ電話機５−１、５−２、…とが設けられている。なお、ＩＰ−ＰＢＸとは、ＬＡＮを内線電話網の回線として使用する際に必要となり、電話機/端末間の交換処理機能を内蔵したＬＡＮ直結型交換機として知られている。支店３０２内に携帯電話機６を持ち歩いている人がいるとする。
【００２７】
本社３０１と支店３０２はVoIPにより構築した社内ＩＰネットワーク３０４あるいは公衆網３０３を介して音声通話を行うことが可能である。
【００２８】
支店３０２内の携帯電話機６は公衆網３０３を介して本社３０１内のＩＰ電話機１−１、１−２…、支店３０２内のＩＰ電話機５−１、５−２…その他の電話機との間で無線通信により音声通話をすることが可能であると共に、無線通信により支店３０１内のＩＰ電話機 ５−１、５−２…とデータ通信を行うことが可能である。
【００２９】
図４は、図３における本店３０１内のアドレス管理サーバ２が有している記憶領域の内容の一例を示す図である。図４において、その記憶領域には予め本店３０１内の内線ＩＰ電話機５−１、５−２、…の発信者番号とそれらを収容したＩＰネットワークのＩＰアドレスとが対応付けて登録されているものとする。尚、図４における記号*は任意の値を意味するワイルドカードである。例えば、図４における発信者番号０９８７６５５４３２１に対応するＩＰネットワークアドレスの１０．１．１．１及び１０．１．１．２はそれぞれＩＰ電話機１−１及び１−２のものである。ただし、この発信者番号とＩＰネットワークのＩＰアドレスは必ずしも１対１に対応している必要はない。電話機の電話番号とネットワークアドレスとが１対１に対応するようになれば、アドレス管理サーバ２は不要になる。
【００３０】
全ての内線ＩＰ電話機１−１，１−２、…５−１，５−２、…及び携帯電話機６には、本発明による無線通信のための機能を備えた専用のアプリケーションが内蔵されている（図３には記号φで示してある)。
【００３１】
図５は携帯電話機６内の発信者番号登録データを示す図である。
【００３２】
図６及び図７は、本発明の一実施例により、本社３０１又は支店３０２内のＩＰ電話機から携帯電話機６へ発呼中に携帯電話機６への発呼を所望の内線ＩＰ電話機に切替転送する手順を説明するフローチャートである。
【００３３】
図６において、本社３０１内の内線ＩＰ電話機１−１と支店３０２内の内線ＩＰ電話機５−１が通話可能となるまでの手順を示している。
【００３４】
まず、本社３０１内の発呼者はステップＳ６０にてＩＰ電話機１−１より支店内の携帯電話機６へ発呼を行う。携帯電話機６は、図５のデータを参照して発信者番号が予め登録されている番号の場合に、通信状態をスレーブ状態で起動する。また、前提として、携帯電話機６は通話中ではないものとする。
【００３５】
次いでステップＳ６１にて携帯電話機6が着信状態になると、ステップＳ６２にて発信者番号の判定をし、発信者番号が携帯電話機６に登録されていない場合は、ステップＳ６３にて携帯電話機６により応答するか着信を無視する。
【００３６】
発信者番号が携帯電話機６に登録されている場合はステップＳ６４に進み、支店３０２内の携帯電話機６の受呼者は転送を所望する内線ＩＰ電話機、例えば５−１を操作することにより、携帯電話機６と内線ＩＰ電話機５−１とが通信可能な状態となる。この処理は図１４に示されている。簡単に記載すると、内線ＩＰ電話機５−１に内蔵されたアプリケーションはＩＰ通信状態をマスタ状態とし、Bluetoothの接続により携帯電話機６に内蔵されたアプリケーションと通信可能な状態にする。この際、携帯電話機６とＩＰ電話機１−１との間は、内線ＩＰ電話機１−１からの携帯電話機６への発呼状態のままである。
【００３７】
次いでステップＳ６５にて、ＩＰ電話機５−１に内蔵されたアプリケーションは、携帯電話機６に内蔵されたアプリケーションから情報を無線通信により取得する。この取得するデータの一例を図１０に示す。図１０において、携帯電話機とＩＰ電話機間でやりとりするデータとして、発信者番号(内線ＩＰ電話機１−１１の外線電話番号)及び携帯電話機６の電話番号が示されている。
【００３８】
次いでステップＳ６６にて、ＩＰ電話機５−１に内蔵されたアプリケーションは、携帯電話機６から取得したデータ（発信者番号）により、図１６に示すような方法で、アドレス管理サーバ２の記憶領域に問合せ、図１１に示すデータ（発信元ネットワークアドレス）を取得する。このデータは、発信者番号に対応する発信元ＩＰネットワークアドレス(ＩＰ電話機１−１を収容したＩＰネットワークのネットワークアドレス)である。
【００３９】
本発明の他の実施例によれば、本社３０１内にアドレス管理サーバ２を設置する替わりに、ＩＰ−ＰＢＸ３−１の内部領域に予め図５に示すように内線電話機の発信者番号とそれらを収容したＩＰネットワークのＩＰアドレスとを対応付けて登録しておき、この情報より発信元ＩＰネットワークアドレスを取得してもよい。
【００４０】
図１１は問い合わせに用いるデータの構成を、図１２は問い合わせにより得られるデータの構成を示している。
【００４１】
ステップＳ６６に次いでステップＳ６７にて、支店３０２内の内線ＩＰ電話機５−１、５−２、…はＩＰネットワークアドレスを取得したかどうかを判定し、取得した場合は、ステップＳ６８にて、ＩＰ電話機５−１に内蔵されたアプリケーションは、ステップＳ６６にて割り出された発信元ネットワークアドレスを元に、ＩＰ電話機１−１を収容したネットワーク内の全てのＩＰ電話機１−１、１−２、…に対して図１３に示すようなデータ（携帯電話番号と転送先ＩＰ電話機５−１のＩＰアドレス）をブロードキャストにより通知することにより、発呼中の内線ＩＰ電話機を問い合わせる。なお、ブロードキャストとは、データをネットワークの特定範囲の全機器に伝える技術として知られている。
【００４２】
次いでステップＳ６９にて、問い合わせ結果、例えば内線ＩＰ電話機１−１が発呼している、という結果が得られると、図７のステップＳ７０に進む。
【００４３】
ステップＳ７０では、ステップＳ６８で通知された発呼中のＩＰ電話機１−１に内蔵されたアプリケーションは、図１７に示す方法で携帯電話機６への発呼を中止する。
【００４４】
次いでステップＳ７１にて、本社３０１内のＩＰ電話機１−１は支店３０２内のＩＰ電話機５−１のＩＰアドレスに対してＳＩＰ（Session Initiation Protocol）よる接続要求（発呼）を行う。なお、ＳＩＰとは、ＩＰネットワーク上で、電話の呼設定を実現するためのテキストベースのアプリケーション層プロトコルとして知られている。
【００４５】
次いでステップＳ７２にてＩＰ電話機１−１から携帯電話機６への着信は止まり、内線ＩＰ電話機５−１に着信する。
【００４６】
次いでステップＳ７３にて、支店３０２内の携帯電話機6受呼者は、内線ＩＰ電話機５−１を操作することにより、内線ＩＰ電話機５−１と内線ＩＰ電話機１−１との間でＩＰ電話による通話を開始する。
【００４７】
以上の手順により、内線電話機から携帯電話機への着信を、最寄の内線電話機に転送することが可能になる。
【００４８】
内線ＩＰ電話機と携帯電話機間の無線通信には、Bluetoothや赤外線通信などの簡易な無線通信手段を用いてよい。なお、Bluetoothとは近距離無線通信のインタフェース規格として知られている。
【実施例２】
【００４９】
図８及び図９は本発明の他の実施例による携帯電話機からＩＰ電話機への通話切替え転送方法を説明するフローチャートである。
【００５０】
ステップＳ８０にて携帯電話機６が内線ＩＰ電話機１−１と通話中である場合、携帯電話機６は、図１４に示す形でBluetoothスレーブ状態で待ち受け起動されている。
【００５１】
支店３０２内の携帯電話機6による通話者は、ステップＳ８１にて最寄の転送したい内線ＩＰ電話機５−１を操作し、図１４の方法により、内線ＩＰ電話機５−１に内蔵されたアプリケーションはBluetoothの通信状態をマスタ状態とし、Bluetoothの接続により携帯電話機６に内蔵されたアプリケーションと通信可能な状態にする。この際、携帯電話機6とＩＰ電話機１−１間は、保留状態となる。
【００５２】
次いでステップＳ８２にて内線ＩＰ電話機５−１に内蔵されたアプリケーションは、図１５に示す方法により、携帯電話機6に内蔵されたアプリケーションから図１０に示すデータ（発信者番号(ＩＰ電話機 １−１の外線電話番号)及び携帯電話機6の電話番号）を無線通信により取得する。
【００５３】
取得できたら、ステップＳ８３に進み、内線ＩＰ電話機５−１に内蔵されたアプリケーションは図１１に示すデータ（発信者番号）より、図１６に示すような方法で、アドレス管理サーバ２に問合せ、図１２に示すデータ（発信元ネットワークアドレス）を取得する。取得した発信者番号に対応する発信元ネットワークアドレス(ＩＰ電話機 １−１を収容したネットワークのネットワークアドレス)を取得する。
【００５４】
アドレス管理サーバ２に替えて、ＩＰ−ＰＢＸ３−１の内部領域に予め図５に示すように内線電話機の発信者番号とそれらを収容したネットワークのＩＰアドレスとを対応付けて登録しておき、この情報より発信元ネットワークアドレスを取得してもよい。
【００５５】
次いでステップＳ８５にて、ＩＰ電話機５−１に内蔵されたアプリケーションは、ステップＳ８４で割り出された発信元ネットワークアドレスを元に、内線ＩＰ電話機１−１を収容したＩＰネットワーク３０４内の全てのＩＰ電話機１−１，１−２、…に対して図１３のようなデータ（携帯電話番号と転送先ＩＰ電話機５−１のＩＰアドレス）をブロードキャストにより通知する。
【００５６】
次いでステップＳ８６にて、ステップＳ８５で通知された通話中のＩＰ電話機１−１が上記データを取得すると、図９のステップＳ９０に進み、内戦ＩＰ電話機１−１に内蔵されたアプリケーションは、図１７に示す方法で携帯電話機６との通話を切断して、ステップＳ９１にて内線ＩＰ電話機５−１のＩＰアドレスに対してＳＩＰによる接続要求を行う。
【００５７】
次いでステップＳ９２にてＩＰ電話機５−１が着信する。ＩＰ電話機 ５−１の呼び出し音を通常の着信の場合の呼び出し音と変更しておくことで、受呼者が通話の切替を容易に判断できる。
【００５８】
次いでステップＳ９３にて、支店３０２内の携帯電話機６の通話者は、内線ＩＰ電話機５−１を操作することにより、ＩＰ−電話機５−１とＩＰ電話機１−１との間の通話を開始する。
【００５９】
以上の手順により、内線電話機と携帯電話機との通話を、最寄の内線電話機に転送することが可能になる。
(付記１）
音声通話をインターネット・プロトコル・ネットワーク上で行う通信システムにおいて、発呼側ＩＰ電話機から受呼側携帯電話機への着信時に、受呼者が転送を所望する受呼側ＩＰ電話機を操作することにより該受呼側ＩＰ電話機と前記受呼側携帯電話機との間で無線交信を行う第一のステップと、該第一のステップの後に前記転送を所望する受呼側ＩＰ電話機に内蔵された機能が自動で前記発呼側ＩＰ電話機と通信を行う第二のステップとを備え、前記受呼側携帯電話機への着信を前記転送を所望する受呼側ＩＰ電話機へ転送することを特徴とする携帯電話機からＩＰ電話機への着信転送方法。
(付記２）
前記通信システムは、ＩＰ電話機の識別番号を登録した記憶装置を備えており、前記第二のステップにおいて前記転送を所望する受呼側ＩＰ電話機に内蔵された機能が自動で前記記憶装置及び前記発呼側ＩＰ電話機と通信を行うことを特徴とする、付記１に記載の着信転送方法。
（付記３）
前記通信システムは、ＩＰ電話機の識別番号を登録した交換装置を備えており、前記第二のステップにおいて前記転送を所望する受呼側ＩＰ電話機に内蔵された機能が自動で前記交換装置及び前記発呼側ＩＰ電話機と通信を行うことを特徴とする、付記１に記載の着信転送方法。
(付記４）
音声通話をインターネット・プロトコル・ネットワーク上で行う通信システムにおいて、ＩＰ電話機と携帯電話機との間で通話中に、通話の転送を所望するＩＰ電話機を操作することにより前記転送を所望するＩＰ電話機と前記携帯電話機との間で無線交信を行う第一のステップと、
該第一のステップの後に前記転送を所望するＩＰ電話機に内蔵された機能が自動で前記通話中のＩＰ電話機と通信を行う第二のステップと、
前記携帯電話機と通話中の前記ＩＰ電話機に内蔵された機能により前記携帯電話機との通話を切断する第三のステップと、
前記携帯電話機と通話していた前記ＩＰ電話機から前記転送を所望するＩＰ電話機へ発呼することにより、通話を前記携帯電話機から前記転送を所望するＩＰ電話機へ切り替える第四のステップと、
を備えることを特徴とする携帯電話機からＩＰ電話機への通話切替え転送方法。
(付記５）
前記通信システムは、ＩＰ電話機の識別番号を登録した記憶装置を備えており、前記第二のステップにおいて前記転送を所望するＩＰ電話機に内蔵された機能が自動で前記記憶装置及び前記通話中のＩＰ電話機と通信を行うことを特徴とする、付記４に記載の通話切替え転送方法。
(付記６）
前記第四のステップにおいて、通話を前記携帯電話機から前記転送を所望するＩＰ電話機へ切り替える際に、転送先ＩＰ電話機の呼び出し音により受呼者が通話の切替えを認識できるようにすることを特徴とする、付記４又は５に記載の通話切替え転送方法。
(付記７）
前記通信システムは、ＩＰ電話機の識別番号を登録した交換装置を備えており、前記前記第二のステップにおいて前記転送を所望するＩＰ電話機に内蔵された機能が自動で前記交換装置及び前記通話中のＩＰ電話機と通信を行うことを特徴とする、付記４に記載の着信転送方法。
(付記８）
前記第四のステップにおいて、通話を前記携帯電話機から前記転送を所望するＩＰ電話機へ切り替える際に、転送先ＩＰ電話機の呼び出し音により受呼者が通話の切替えを認できるようにすることを特徴とする、付記７に記載の通話切替え転送方法。
【産業上の利用可能性】
【００６０】
(1)コスト
本発明によれば、一般加入者電話機から携帯電電話機へ掛けた場合に適用される、最も割高な通話料が不要となるため、大幅な通話料の削減を実現できる。
【００６１】
(2)性能
本発明によれば、発呼者は受呼者の内線電話番号を知らない場合でも携帯電話番号を知っていれば内線電話機を利用できる。
【００６２】
また、受呼者は事前に携帯電話機と内線電話機を接続して呼制御サーバに情報を登録する手間なくリアルタイムに所望する内線電話機を操作することで通話が可能となる。
【００６３】
また、本発明によれば、発呼者は受呼者が席を外している場合（呼制御サーバに情報を登録した内線電話機の近くにいない）場合でも内線電話機を使用できるため、取り継いでもらうことなく内線電話機を利用できる。
【００６４】
また、本発明によれば、座席の移動などで内線電話番号が変更になった場合でも携帯電話番号を知っていれば内線電話機を利用できる。
【図面の簡単な説明】
【００６５】
【図１】従来のシステムの構成を示す概略ブロック図である。
【図２】本発明の一実施例による携帯電話機からＩＰ電話機への着信転送方法を実現する通信システムの概略構成を示すブロック図である。
【図３】図２に示したシステムを本社と支店に適用した実施例のシステムの全体構成を示す構成図である。
【図４】図３における本店３０１内のアドレス管理サーバ２が有している記憶領域の内容の一例を示す図である。
【図５】携帯電話機６内の発信者番号登録データを示す図である。
【図６】本発明の一実施例により、携帯電話機６への発呼を所望の内線ＩＰ電話機に切替転送する手順を説明するフローチャートの一部である。
【図７】本発明の一実施例により、携帯電話機６への発呼を所望の内線ＩＰ電話機に切替転送する手順を説明するフローチャートの他の一部である。
【図８】本発明の他の実施例による携帯電話機からＩＰ電話機への通話切替え転送方法を説明するフローチャートの一部である。
【図９】本発明の他の実施例による携帯電話機からＩＰ電話機への通話切替え転送方法を説明するフローチャートの他の一部である。
【図１０】携帯電話機とＩＰ電話機との間でやりとりするデータの構成図である。
【図１１】記憶領域を検索するデータの構成図である。
【図１２】記憶領域より取得するデータの構成図である。
【図１３】ブロードキャストで送信するデータの構成図である。
【図１４】ＩＰ電話機と携帯電話機の間の通信状態の確率を説明するタイムシーケンス図である。
【図１５】ＩＰ電話機と携帯電話機の間での図７のデータの送受信を説明するタイムシーケンス図である。
【図１６】ＩＰ電話機とアドレス管理サーバとの間のデータの送受信を説明するタイムシーケンス図である。
【図１７】ＩＰ電話機１−１とＩＰ電話機５−１との間の通話の確立を説明するタイムシーケンス図である。
【符号の説明】
【００６６】
１０…本社の内線ＩＰ電話機
４５…ＩＰネットワーク
５０…支店の内線ＩＰ電話機
６０…携帯電話機
１−１、１−２、……本社の内線ＩＰ電話機
２…アドレス管理サーバ
３−１…本社のＩＰ−ＰＢＸ
３−２…支店のＩＰ−ＰＢＸ
４−１…本社のルータ
４−２…支店のルータ
５−１、５−２、……支店の内線ＩＰ電話機
６…携帯電話機
３０３…公衆網
３０４…ＩＰネットワーク
【図１】
2005197777.tif 000003
【図２】
2005197777.tif 000004
【図３】
2005197777.tif 000005
【図４】
2005197777.tif 000006
【図５】
2005197777.tif 000007
【図６】
2005197777.tif 000008
【図７】
2005197777.tif 000009
【図８】
2005197777.tif 000010
【図９】
2005197777.tif 000011
【図１０】
2005197777.tif 000012
【図１１】
2005197777.tif 000013
【図１２】
2005197777.tif 000014
【図１３】
2005197777.tif 000015
【図１４】
2005197777.tif 000016
【図１５】
2005197777.tif 000017
【図１６】
2005197777.tif 000018
【図１７】
2005197777.tif 000019